(57)【要約】      （修正有）【課題】衣服を前開きにするなど、着脱を容易にした前開きドレスを提供する。【解決手段】コンシールファスナー１と一対の重ね合わせて布を止めるテープ５、５´を装着具として前面に具備するドレス９であり、コンシールファスナーの始点（止まり口）２をドレスの裾部１０より上方、任意の位置に配置するとともに、ドレスの襟部に一対の重ね合わせて布を止めるテープを配置してなり、ドレスの装着が、コンシールファスナーの始点（止まり口）から、引き手４をコンシールファスナーの終点（止まり口）３へ移動してドレスの前部開放部６を閉じた後、一対の重ね合わせて布を止めるテープを貼り合わせることによりドレスの前身ごろ７で装着具が被覆されることを特徴とする前開きドレス。【選択図】図１
0003232344.tif 000002
【実用新案登録請求の範囲】
【請求項１】
コンシールファスナー（１）とマジックテープ（５、５´）を装着具として前面に具備するドレス（９）であり、コンシールファスナー（１）の始点（止まり口）（２）をドレスの裾部（１０）より上方、任意の位置に配置するとともに、ドレスの襟部に一対のマジックテープ（５、５´）を配置してなり、ドレスの装着が、コンシールファスナーの始点（止まり口）（２）から、引き手（４）をコンシールファスナーの終点（止まり口）（３）へ移動してドレスの前部開放部（６）を閉じた後、マジックテープ（５、５´）を貼り合わせることによりドレスの前身ごろ（７）で装着具が被覆されることを特徴とする前開きドレス。
【考案の詳細な説明】
【考案の詳細な説明】
【技術分野】
【０００１】  本考案は衣服の前部分を容易に開閉する事により、衣服の着脱をしやすくした前開きドレスである。
【背景技術】
【０００２】  従来から衣服において、開放部を開閉する方法として釦、オープンファスナー等の開閉具が採用されている。
【先行技術文献】
【特許文献】
【０００３】
【特許文献１】実用新案登録第３２２６３２３号公報
【考案の概要】
【考案が解決しようとする課題】
【０００４】  高齢者の着用する衣服にあっては、衣服を前開きにするなど、着脱を容易にすることが求められる。
前部分が開閉出来るドレスにあっても装着時には、釦のはめ込み、オープンファスナーにおいても箱（Ｒｅｔａｉｎｅｒ  Ｂｏｘ）に蝶棒（Ｉｎｓｅｒｔｉｏｎ  Ｐｉｎ）を勘合する方法が、手元に支障をきたす者にあっては、操作に手間取ることで衣服の着脱が不自由なものとなっている。
【課題を解決するための手段】
【０００５】  衣服の裾下端部より上方に、コンシールファスナーを構成するファスナー始点（止まり口）を配置することにより、ファスナー始点（止まり口）におけるファスナーの勘合操作を解消して衣服の着脱を容易にする前開きドレスを提供する。
本考案に採用するコンシールファスナーはエレメントや縫い目が表地に出ないファスナーであり、ファスナー始点（止まり口）はスライダーが脱落しない状態で生地に縫いこまれている。
【考案の効果】
【０００６】  本考案に係る前開きドレスは、従来ドレスの装着が背部でのファスナー、金具等の操作によりなされる不自由さを解消すべく発案されたドレスであり、他人の介添えを必要としないことは勿論である。【０００７】  本考案に係る前開きドレスは、装着が極めて容易なドレスであり、ドレスの裾より頭部を通して着衣した後、腕を袖に通し、ファスナーの始点（止まり口）に留め置かれている引き手を引き上げた後、襟元のマジックテープ（登録商標）を貼り合わせて完了する。
【図面の簡単な説明】
【０００８】
【図１】前面開放部を全開した状態を示す説明図。
【図２】前面開放部を閉じた状態を示す説明図。
【図３】着用状態を示す説明図。
【考案を実施するための形態】
【０００９】  以下、本考案に係る前開きドレスの実施形態を図面に基づいて説明する。
図１は本考案の前開きドレスの前面開放部を全開した状態を示す説明図であり、コンシールファスナーの始点（止まり口）２に引き手４が留め置かれ、ドレスの前面開放部６を全開した状態にあり、前身ごろ７の襟部にはマジックテープ（登録商標）５、５´が配置されている。
【００１０】  図２は本考案の前開きドレスの前面開放部を閉じた状態を示す説明図であり、引き手４をコンシールファスナーの終点（止まり口）３へ移行することによりドレスの前面開放部が閉じた状態となる。
前身ごろ７の襟部に配置されている一対のマジックテープ（登録商標）５と５´を貼り合わせることにより、コンシールファスナー１の終点（止まり口）３、引き手４は前身ごろ７によって被覆される。
【００１１】  図３は本考案の前開きドレスの着用状態を示す説明図である。
【実施例】
【００１２】  本考案のドレスは、エレメントや縫い目が表地に出ないコンシールファスナー１と一対のマジックテープ（登録商標）５、５´を装着具として前面に具備する前開きドレス９であり、コンシールファスナー１の始点（止まり口）２をドレスの裾部１０より上方、任意の位置に縫いこんで配置するとともに、ドレスの襟部に一対のマジックテープ（登録商標）５、５´を配置してなり、ドレスの装着が、コンシールファスナーの始点（止まり口）２から、引き手４をコンシールファスナーの終点（止まり口）３へ移動してドレスの前部開放部６を閉じた後、ドレスの襟部に配置されているマジックテープ（登録商標）５、５´を襟元で貼り合わせることによりドレスの前身ごろ７で装着具が被覆されることを特徴とする前開きドレスである。【００１３】  本考案においては、コンシールファスナーが採用されているが、オープンファスナーであっても、箱（Ｒｅｔａｉｎｅｒ  Ｂｏｘ）を排除し、ファスナー始点（止まり口）において、スライダーが脱落しない状態で蝶棒（Ｉｎｓｅｒｔｉｏｎ  Ｐｉｎ）を生地に縫いこむことで採用可能となる。
【符号の説明】
【００１４】  １        コンシールファスナー
２        コンシールファスナーの始点（止まり口）
３        コンシールファスナーの終点（止まり口）
４        引き手
５、５´  マジックテープ
６        ドレスの前面開放部
７        前身ごろ
８        縫い目
９        ドレス
１０        ドレスの裾部
【図１】
0003232344.tif 000003
【図２】
0003232344.tif 000004
【図３】
0003232344.tif 000005
【手続補正書】
【提出日】令和3年2月12日(2021.2.12)
【手続補正１】
【補正対象書類名】実用新案登録請求の範囲
【補正対象項目名】全文
【補正方法】変更
【補正の内容】
【実用新案登録請求の範囲】
【請求項１】
コンシールファスナー（１）と一対の重ね合わせて布を止めるテープ（５、５´）を装着具として前面に具備するドレス（９）であり、コンシールファスナー（１）の始点（止まり口）（２）をドレスの裾部（１０）より上方、任意の位置に配置するとともに、ドレスの襟部に一対の重ね合わせて布を止めるテープ（５、５´）を配置してなり、ドレスの装着が、コンシールファスナーの始点（止まり口）（２）から、引き手（４）をコンシールファスナーの終点（止まり口）（３）へ移動してドレスの前部開放部（６）を閉じた後、一対の重ね合わせて布を止めるテープ（５、５´）を貼り合わせることによりドレスの前身ごろ（７）で装着具が被覆されることを特徴とする前開きドレス。
【手続補正２】
【補正対象書類名】明細書
【補正対象項目名】０００７
【補正方法】変更
【補正の内容】
【０００７】  本考案に係る前開きドレスは、装着が極めて容易なドレスであり、ドレスの裾より頭部を通して着衣した後、腕を袖に通し、ファスナーの始点（止まり口）に留め置かれている引き手を引き上げた後、襟元に装着具として配置された、一対の重ね合わせて布を止めるテープを貼り合わせて完了する。
【手続補正３】
【補正対象書類名】明細書
【補正対象項目名】０００９
【補正方法】変更
【補正の内容】
【０００９】  以下、本考案に係る前開きドレスの実施形態を図面に基づいて説明する。
図１は本考案の前開きドレスの前面開放部を全開した状態を示す説明図であり、コンシールファスナーの始点（止まり口）２に引き手４が留め置かれ、ドレスの前面開放部６を全開した状態にあり、前身ごろ７の襟部には一対の重ね合わせて布を止めるテープ５、５´が配置されている。
【手続補正４】
【補正対象書類名】明細書
【補正対象項目名】００１０
【補正方法】変更
【補正の内容】
【００１０】  図２は本考案の前開きドレスの前面開放部を閉じた状態を示す説明図であり、引き手４をコンシールファスナーの終点（止まり口）３へ移行することによりドレスの前面開放部が閉じた状態となる。
前身ごろ７の襟部に配置されている一対の重ね合わせて布を止めるテープ５と５´を貼り合わせることにより、コンシールファスナー１の終点（止まり口）３、引き手４は前身ごろ７によって被覆される。
【手続補正５】
【補正対象書類名】明細書
【補正対象項目名】００１２
【補正方法】変更
【補正の内容】
【００１２】  本考案のドレスは、エレメントや縫い目が表地に出ないコンシールファスナー１と一対の重ね合わせて布を止めるテープ５、５´を装着具として前面に具備する前開きドレス９であり、コンシールファスナー１の始点（止まり口）２をドレスの裾部１０より上方、任意の位置に縫いこんで配置するとともに、ドレスの襟部に一対の重ね合わせて布を止めるテープ５、５´を配置してなり、ドレスの装着が、コンシールファスナーの始点（止まり口）２から、引き手４をコンシールファスナーの終点（止まり口）３へ移動してドレスの前部開放部６を閉じた後、ドレスの襟部に配置されている重ね合わせて布を止めるテープ５、５´を襟元で貼り合わせることによりドレスの前身ごろ７で装着具が被覆されることを特徴とする前開きドレスである。
【手続補正６】
【補正対象書類名】明細書
【補正対象項目名】００１４
【補正方法】変更
【補正の内容】
【００１４】  １        コンシールファスナー
２        コンシールファスナーの始点（止まり口）
３        コンシールファスナーの終点（止まり口）
４        引き手
５、５´  一対の重ね合わせて布を止めるテープ
６        ドレスの前面開放部
７        前身ごろ
８        縫い目
９        ドレス
１０        ドレスの裾部